(57)【要約】【課題】顧客の好みに合う建築物の空間コーディネートを簡易に選択できるように支援する。【解決手段】空間コーディネート支援装置１００の記憶部１１０は、建築物における空間コーディネートの特徴を表すテーマと、建築物の外装材又は内装材それぞれに用いられる表面デザインの組合せとを対応付けて記憶する。取得部１２２は、顧客の嗜好又は生活様式に関する１以上の情報を取得する。集計部１２３は、取得部１２２が取得した情報に基づいて各テーマに付与されたスコアを、テーマごとに集計する。選択部１２４は、集計部１２３が集計したスコアに基づいてテーマを選択する。表示制御部１２１は、選択部１２４が選択したテーマに応じた上記の組合せの情報を表示部１３０に表示する。【選択図】図１
2020205000.tif 000002
【特許請求の範囲】
【請求項１】
建築物における空間コーディネートの特徴を表すテーマと、建築物の外装材又は内装材それぞれに用いられる表面デザインの組合せとを対応付けて記憶する記憶部と、
顧客の嗜好又は生活様式に関する１以上の情報を取得する取得部と、
前記取得部が取得した前記情報に基づいて前記テーマそれぞれに付与されたスコアを、前記テーマごとに集計する集計部と、
前記集計部が集計した前記スコアに基づいて前記テーマを選択する選択部と、
前記選択部が選択した前記テーマに応じた前記組合せの情報を表示するよう制御する表示制御部と、
を備える空間コーディネート支援装置。
【請求項２】
前記組合せは、建築物の外装材又は内装材それぞれに用いられる表面デザインと、家財との組合せである、
ことを特徴とする請求項１に記載の空間コーディネート支援装置。
【請求項３】
前記表示制御部は、顧客の嗜好又は生活様式に関する前記情報を取得するための質問を表示するよう制御する、
請求項１又は請求項２に記載の空間コーディネート支援装置。
【請求項４】
空間コーディネート支援装置が実行する空間コーディネート支援方法であって、
顧客の嗜好又は生活様式に関する１以上の情報を取得する取得ステップと、
前記取得ステップにおいて取得した前記情報に基づいて、建築物における空間コーディネートの特徴を表す複数のテーマそれぞれに付与されたスコアを、前記テーマごとに集計する集計ステップと、
前記集計ステップにおいて集計された前記スコアに基づいて前記テーマを選択する選択ステップと、
前記テーマと、建築物の外装材又は内装材それぞれに用いられる表面デザインの組合せとを対応付けて記憶する記憶部から、前記選択ステップにおいて選択された前記テーマに応じた前記組合せを読み出し、読み出した前記組合せの情報を表示する表示ステップと、
を有する空間コーディネート支援方法。
【発明の詳細な説明】
【技術分野】
【０００１】
本発明は、空間コーディネート支援装置及び空間コーディネート支援方法
に関する。
【背景技術】
【０００２】
住宅等の建築物の各内外装材（壁、床、天井、ドアなど）の表面に自由に選択したテクスチャを適用したときの空間のイメージをコンピュータグラフィクスにより再現する技術がある（例えば、特許文献１参照）。テクスチャは、内外装材の表面のデザイン（以下、表面デザインと記載）の例である。
【先行技術文献】
【特許文献】
【０００３】
【特許文献１】特開２０１７−３３３１４号公報
【発明の概要】
【発明が解決しようとする課題】
【０００４】
住宅の内外装材には壁、ドア、キッチン扉などの多数の種類があり、さらには、各種類の内外装材には複数の表面デザインが適用可能である。従って、各内外装材の表面デザインの組合せはかなりの数になる。それらの組み合わせの中から、施主の好みに合う空間コーディネートとなるように各内外装材の表面デザインの組合せを選択することは難しい場合があった。そこで、上記の従来技術を用いて住宅の空間をシミュレーションした空間コーディネートの画像を施主に提示することで、施主は実物の住宅空間を体験しなくとも、住宅がどのような雰囲気となるのかを把握することができる。このような住宅空間のシミュレーションを行うツールを、例えば住宅を販売する業者等が、顧客である施主への営業活動等に利用することもできる。しかし、このようなシミュレーションを用いたとしても、施主の好みに合う住宅空間のイメージが出来上がるまで、各内外装材の表面デザインの選択と、選択した表面デザインを用いたときのシミュレーション結果の確認とを何度も繰り返さなければならない。このような作業は、煩雑な上に、時間を要する。また、販売業者は施主が表面デザインの組合せの選択を行っている間、空間コーディネートに対するアドバイスを提供する。各施主が表面デザインの組合せを選択するために時間を要すると、販売業者が接客する時間も長くなり、営業活動を効率的に行えない可能性がある。
【０００５】
本発明は、このような事情に鑑みてなされたもので、顧客の好みに合う建築物の空間コーディネートを簡易に選択できるように支援することが可能な空間コーディネート支援装置及び空間コーディネート支援方法を提供することを目的とする。
【課題を解決するための手段】
【０００６】
上述した課題を解決する本発明の一態様は、建築物における空間コーディネートの特徴を表すテーマと、建築物の外装材又は内装材それぞれに用いられる表面デザインの組合せとを対応付けて記憶する記憶部と、顧客の嗜好又は生活様式に関する１以上の情報を取得する取得部と、前記取得部が取得した前記情報に基づいて前記テーマそれぞれに付与されたスコアを、前記テーマごとに集計する集計部と、前記集計部が集計した前記スコアに基づいて前記テーマを選択する選択部と、前記選択部が選択した前記テーマに応じた前記組合せの情報を表示するよう制御する表示制御部と、を備える空間コーディネート支援装置である。
【０００７】
本発明の一態様は、上述の空間コーディネート支援装置であって、前記組合せは、建築物の外装材又は内装材それぞれに用いられる表面デザインと、家財との組合せである、ことを特徴とする。
【０００８】
本発明の一態様は、上述の空間コーディネート支援装置であって、前記表示制御部は、顧客の嗜好又は生活様式に関する前記情報を取得するための質問を表示するよう制御する。
【０００９】
本発明の一態様は、空間コーディネート支援装置が実行する空間コーディネート支援方法であって、顧客の嗜好又は生活様式に関する１以上の情報を取得する取得ステップと、前記取得ステップにおいて取得した前記情報に基づいて、建築物における空間コーディネートの特徴を表す複数のテーマそれぞれに付与されたスコアを、前記テーマごとに集計する集計ステップと、前記集計ステップにおいて集計された前記スコアに基づいて前記テーマを選択する選択ステップと、前記テーマと、建築物の外装材又は内装材それぞれに用いられる表面デザインの組合せとを対応付けて記憶する記憶部から、前記選択ステップにおいて選択された前記テーマに応じた前記組合せを読み出し、読み出した前記組合せの情報を表示する表示ステップと、を有する空間コーディネート支援方法である。
【発明の効果】
【００１０】
本発明によれば、顧客の好みに合う建築物の空間コーディネートを簡易に選択できるように支援することが可能となる。
【図面の簡単な説明】
【００１１】
【図１】本実施形態における空間コーディネート支援装置の構成例を示す図である。
【図２】本実施形態における画面の表示例を示す図である。
【図３】本実施形態における画面の表示例を示す図である。
【図４】本実施形態における画面の表示例を示す図である。
【図５】本実施形態における画面の表示例を示す図である。
【図６】本実施形態における画面の表示例を示す図である。
【図７】本実施形態における画面の表示例を示す図である。
【図８】本実施形態におけるスコア情報の例を示す図である。
【図９】本実施形態における基本情報の例を示す図である。
【図１０】空間コーディネート支援装置の処理を示すフロー図である。
【発明を実施するための形態】
【００１２】
以下、図面を参照しながら本発明の実施形態について詳細に説明する。
顧客である施主に住宅や住宅の内外装などを販売する事業者は、施主に対する営業活動のために、図１に示す本実施形態の空間コーディネート支援装置１００を用いる。空間コーディネート支援装置１００は、住宅に用いられる各内外装材の表面デザインの組合せを、施主に推薦する。本実施形態における住宅の「内外装材」には、以下のようなものが含まれてよい。つまり、内外装材には、壁紙、床材、天井材等の内装材が含まれてよい。また、内外装材には、外壁などの外装材、室内扉、玄関扉、襖、クローゼットの扉等の建具材が含まれてよい。また、内外装材には、巾木、長押、腰壁、階段等の造作材が含まれてよい。また、内外装材には、キッチン、バス等の住設機器類が含まれてよい。また、内外装材には、外壁やルーバーなどの外装材類が含まれてよい。
【００１３】
このような内外装材は、使用されている素材、塗装、印刷される化粧面パターンによって、表面の色柄や光沢、凹凸などに応じた質感などが異なる。例えば、内外装材の表面デザインには、木目や石目を再現したような自然柄、無地の単一色、白や黒などのモノクロームによる柄布目、砂目、和紙柄、手描パターンやＣＧ（Computer Graphics）パターンのように意匠が施された柄等がある。
【００１４】
住宅内の内外装材の表面デザインの違いによって、住宅内の雰囲気は変わるため、各内外装材の表面デザインの選択は、施主にとって重要な決定事項の１つである。そこで、空間コーディネート支援装置１００は、施主へのアンケートの結果に基づいて、施主の嗜好に合うと考えられる各内外装材の表面デザインの組合せを提示する。
【００１５】
空間コーディネート支援装置１００の操作者である施主又は販売業者の担当者は、空間コーディネート支援装置１００が表示する各アンケート項目に対する施主の回答を入力する。このアンケート項目は、施主の好きな色、好きな雰囲気、ライフスタイル等、施主の嗜好又は生活様式に関する質問である。空間コーディネート支援装置１００は、入力された回答に適合しているテーマを判定し、そのテーマに合った各内外装材の表面デザインの組合せを１以上提示する。テーマは、建築物における空間コーディネートの特徴を表す。このように、空間コーディネート支援装置１００が施主の嗜好に適合すると判定した各内外装材の表面デザインの組合せを提示することにより、施主の好みの空間コーディネートを行うために各内外装材にどのような表面デザインを用いればよいかを、施主が容易に選択できるよう支援することが可能になる。
【００１６】
また、住宅には、カーテン、カーペット等のファブリック類や、家具、照明、弱電製品、インテリア小物類等の家財も備えられる。同じ種類の家財であっても、製品によって、色柄や光沢、質感などの表面デザインが異なる。そこで、空間コーディネート支援装置１００は、内外装材の表面デザインに加えて、又は、代えて、家財を含んだ組合せを提示してもよい。
【００１７】
図１は、空間コーディネート支援装置１００の構成を示す機能ブロック図であり、本実施形態と関係する機能ブロックのみを抽出して示してある。空間コーディネート支援装置１００は、記憶部１１０、制御部１２０、表示部１３０及び操作部１４０を備える。
【００１８】
記憶部１１０は、制御部１２０が用いる各種の情報を記憶する。記憶部１１０は、画面記憶部１１１、スコア記憶部１１２及びテーマ情報記憶部１１３を有する。画面記憶部１１１は、画面データを記憶する。画面データは、表示部１３０に表示する画面のデータである。画面データには、テキスト、静止画、動画、音声のほか、ユーザが情報を入力するためのボタンやフィールド、遷移先となる他の画面データへのリンクなどが含まれ得る。スコア記憶部１１２は、スコア情報を記憶する。スコア情報は、各アンケート項目の質問に対する回答の候補となる選択肢と、その選択肢が回答として選択されたときに各テーマに付与するスコアとを関連付けた情報である。テーマ情報記憶部１１３は、テーマ情報を記憶する。テーマ情報は、テーマの名称と、テーマに合った各内外装材の表面デザインの組合せの情報とが関連付けられた情報である。
【００１９】
制御部１２０は、空間コーディネート支援装置１００における各種の制御を実行する。制御部１２０としての機能は、空間コーディネート支援装置１００が備えるＣＰＵ（Central Processing Unit）がプログラムを実行することにより実現される。制御部１２０は、表示制御部１２１、取得部１２２、集計部１２３及び選択部１２４を有する。
【００２０】
表示制御部１２１は、画面記憶部１１１から読み出した画面データなどの情報を表示部１３０に表示する。取得部１２２は、操作部１４０により入力されたアンケート項目への回答を取得する。つまり、取得部１２２は、顧客の嗜好又は生活様式に関する１以上の情報を取得する。集計部１２３は、取得部１２２が取得した回答に応じた各テーマのスコアをスコア情報から読み出す。集計部１２３は、アンケートの終了後、各アンケート項目の回答に基づいて各テーマに付与されたスコアをテーマ毎に集計する。集計部１２３が備える集計情報記憶部１２３１は、集計中のスコアを記憶する。集計情報記憶部１２３１は、記憶部１１０に備えられてもよい。選択部１２４は、集計部１２３が集計したスコアに基づいてテーマを選択する。例えば、選択部１２４は、スコアが高いものから所定数のテーマを選択する。表示制御部１２１は、選択部１２４が選択した各テーマに合った各内外装材の表面デザインの組合せの情報をテーマ情報から読み出して表示部１３０に表示する。
【００２１】
表示部１３０は、制御部１２０の制御に応じて画像を表示する。表示部１３０に対応する表示デバイスは、空間コーディネート支援装置１００に固定的に備えられるものであってもよく、空間コーディネート支援装置１００に接続可能な外部の表示デバイス等であってもよい。表示デバイスは、例えば、ＣＲＴ（Cathode Ray Tube）ディスプレイ、液晶ディスプレイ、有機ＥＬ（Electro Luminescence）ディスプレイ等である。
【００２２】
操作部１４０は、空間コーディネート支援装置１００が備える操作デバイスを一括して示す。操作部１４０には、例えばマウス、キーボード、ペンタブレット等のように、空間コーディネート支援装置１００に接続される操作デバイスが含まれてもよい。また、空間コーディネート支援装置１００がタッチパネルを備える場合には、タッチパネルも操作部１４０に含まれる。
【００２３】
空間コーディネート支援装置１００は、ネットワークを介して通信可能に接続された複数台の情報処理装置を用いて実装されてもよい。この場合、空間コーディネート支援装置１００の各機能部を、これら複数台の情報処理装置のいずれに分散して実装するかは任意とすることができる。例えば、記憶部１１０と、制御部１２０、表示部１３０及び操作部１４０とがそれぞれ異なる情報処理装置に実装されてもよい。また、例えば、記憶部１１０及び制御部１２０と、表示部１３０及び操作部１４０とがそれぞれ異なる情報処理装置に実装されてもよい。また、同一の機能部を複数の情報処理装置により実装してもよい。
【００２４】
図２〜図７は、空間コーディネート支援装置１００の表示制御部１２１が画面記憶部１１１に記憶される画面データに基づいて表示部１３０に表示する画面の例を示す図である。以下では、空間コーディネート支援装置１００が、ドア、床及びキッチン扉の表面デザインの組合せを提案する場合を例に説明する。
【００２５】
図２は、テーマに対応した画面の表示例を示す図である。各テーマには、そのテーマのインテリアイメージ画面Ｇ１と、ｋ個（ｋは１以上の整数）のコーディネート画面Ｇ２−１〜Ｇ２−ｋとが対応付けられている。表示順は、インテリアイメージ画面Ｇ１、コーディネート画面Ｇ２−１、Ｇ２−２、…、Ｇ２−ｋである。コーディネート画面Ｇ２−１〜Ｇ２−ｋを総称して、コーディネート画面Ｇ２と記載する。インテリアイメージ画面Ｇ１は、１以上のインテリアイメージ画像を含む。インテリアイメージ画像は、テーマに沿ったインテリア（空間コーディネート）の例を示す画像である。コーディネート画面Ｇ２は、テーマの名称と、テーマに沿った内外装材の表面デザインの組合せの情報を含む。同図に示すコーディネート画面Ｇ２は、ドア、床及びキッチン扉の表面デザインの組合せの情報と、インテリアイメージ画像とを含む。表面デザインの組合せの情報は、ドア、床及びキッチン扉それぞれの表面デザインの画像と、その表面デザインの名称とを含む。キッチンの扉については、複数の化粧面パターンの表面デザインの画像と、その表面デザインの名称とが含まれている。コーディネート画面Ｇ２は、インテリアイメージ画像を複数含んでもよく、インテリアイメージ画像を含まなくてもよい。
【００２６】
図２は、テーマ「さわやか」に対応した画面の表示例を示しており、ｋ＝２である。図２（ａ）は、インテリアイメージ画面Ｇ１の表示例であり、図２（ｂ）は、コーディネート画面Ｇ２−１の表示例であり、図２（ｃ）は、コーディネート画面Ｇ２−２の表示例である。インテリアイメージ画面Ｇ１又はコーディネート画面Ｇ２の表示中に操作者が操作部１４０により次の画面の表示指示を入力すると、表示制御部１２１は、表示中のインテリアイメージ画面Ｇ１又はコーディネート画面Ｇ２の次の表示順のコーディネート画面Ｇ２を表示部１３０に表示する。コーディネート画面Ｇ２の表示中に操作者が操作部１４０により前画面の表示指示を入力すると、表示制御部１２１は、表示中のコーディネート画面Ｇ２の一つ前の表示順のインテリアイメージ画面Ｇ１又はコーディネート画面Ｇ２を表示部１３０に表示する。空間コーディネート支援装置１００は、施主に提案するテーマのインテリアイメージ画面Ｇ１及びコーディネート画面Ｇ２を表示するため、まず、図３に示す推薦開始画面Ｇ３を表示する。
【００２７】
図３は、推薦開始画面Ｇ３の表示例を示す図である。推薦開始画面Ｇ３は、アンケート開始ボタンＢ３−１及びテーマ選択開始ボタンＢ３−２を有する。操作者が操作部１４０によりアンケート開始ボタンＢ３−１の選択を入力すると、表示制御部１２１は、図４に示すアンケート実施画面Ｇ４−１を表示部１３０に表示する。以下では、アンケートにおけるｎ問目（ｎは１以上の整数）の質問と、その質問に対する回答候補となるｉ個（ｉは２以上の整数）の選択肢それぞれに対応した回答ボタンＢ４−ｎ−ｉ（ｉは２以上の整数）とを有する画面を、アンケート実施画面Ｇ４−ｎと記載する。回答ボタンＢ４−ｎ−ｉには、質問番号及び回答番号と、次のアンケート実施画面Ｇ４−（ｎ＋１）へのリンクとが埋め込まれている。質問番号は、アンケート実施画面Ｇ４−ｎにおいて行う質問を特定する番号である。回答番号は、質問に対するいずれの選択肢の回答であるかを特定する番号である。
【００２８】
なお、推薦開始画面Ｇ３においてアンケート開始ボタンＢ３−１が選択された場合、表示制御部１２１は、アンケート開始確認ボタンを含んだアンケート開始確認画面（図示せず）を表示部１３０に表示してもよい。操作者が操作部１４０によりアンケート開始確認ボタンの選択を入力すると、表示制御部１２１は、図４に示すアンケート実施画面Ｇ４−１を表示部１３０に表示する。また、推薦開始画面Ｇ３において操作者が操作部１４０によりテーマ選択開始ボタンＢ３−２の選択を入力すると、表示制御部１２１は、図７に示すテーマ選択画面Ｇ６を表示部１３０に表示する。
【００２９】
図４は、アンケート実施画面Ｇ４−１の表示例を示す図である。アンケート実施画面Ｇ４−１は、アンケートの１問目の質問「好みの色は？」と、その質問に対する回答候補となる選択肢「やさしい色」、「鮮やかな色」それぞれに対応した回答ボタンＢ４−１−１、Ｂ４−１−２とを有する。回答ボタンＢ４−１−１、Ｂ４−１−２は、回答候補となる選択肢を表すテキストに加えて、その選択肢のイメージに沿った画像の表示を含んでもよい。回答ボタンＢ４−１−ｉには、アンケート実施画面Ｇ４−１で行う質問を特定する質問番号と、回答ボタンＢ４−１−ｉ（図４では、ｉ＝１，２）に対応した回答候補の選択肢を特定する回答番号が埋め込まれている。なお、回答番号の一部が質問番号を表してもよい。さらに、回答ボタンＢ４−１−ｉには、次のアンケート実施画面Ｇ４−２へのリンクが埋め込まれている。操作者が操作部１４０により回答となる選択肢の回答ボタンＢ４−１−ｉを選択する操作を行うと、表示制御部１２１は、回答ボタンＢ４−１−ｉとリンクされているアンケート実施画面Ｇ４−２を表示部１３０に表示する。
【００３０】
図５は、２問目のアンケート実施画面Ｇ４−２の表示例を示す図である。アンケート実施画面Ｇ４−２は、アンケートの２問目の質問と、その質問に対する回答候補となるｉ個（ｉは２以上の整数）の選択肢それぞれに対応した回答ボタンＢ４−２−ｉとを有する。回答ボタンＢ４−２−ｉは、回答候補となる選択肢を表すテキストに加えて、その選択肢のイメージに沿った画像の表示を含んでもよい。操作者が操作部１４０により回答ボタンＢ４−２−ｉを選択する操作を行うと、表示制御部１２１は、３問目のアンケート実施画面Ｇ４−３（図示せず）を表示する。
【００３１】
図５（ａ）に示すアンケート実施画面Ｇ４ａ−２は、アンケート実施画面Ｇ４−１において１問目の質問「好みの色は？」の回答として「やさしい色」の回答ボタンＢ１−１−１を選択する操作が行われたときに表示制御部１２１が表示部１３０に表示するアンケート実施画面Ｇ４−２の表示例である。アンケート実施画面Ｇ４ａ−２は、２問目の質問「好みの色は？」と、回答候補となる選択肢「ナチュラルな色」、「可愛い色」、「モノトーン」のそれぞれに対応した回答ボタンＢ４ａ−２−１〜Ｂ４ａ−２−３とを含む。この回答ボタンＢ４ａ−２−１〜Ｂ４ａ−２−３は、アンケート実施画面Ｇ４−２が有する回答ボタンＢ４−２−ｉ（ｉ＝１，２，３）の例である。
【００３２】
図５（ｂ）に示すアンケート実施画面Ｇ４ｂ−２は、アンケート実施画面Ｇ４−１において「あざやかな色」の回答ボタンＢ４−１−２を選択する操作が行われたときに表示制御部１２１が表示部１３０に表示するアンケート実施画面Ｇ４−２の表示例である。アンケート実施画面Ｇ４ｂ−２は、２問目の質問「好みの色は？」と、回答候補となる選択肢「フレッシュな色」、「気品のある色」のそれぞれに対応した回答ボタンＢ４ｂ−２−１、Ｂ４ｂ−２−２とを含む。アンケート実施画面Ｇ４ｂ−２の回答ボタンＢ４ｂ−２−１、Ｂ４ｂ−２−２は、アンケート実施画面Ｇ４−２が有する回答ボタンＢ４−２−ｉ（ｉ＝１，２）の例である。
【００３３】
空間コーディネート支援装置１００は、３問目以降も上記と同様にアンケート実施画面Ｇ４を表示し、そのアンケート実施画面Ｇ４における質問の回答の入力操作を受ける処理とをアンケートの最後の質問まで繰り返す。上記のように、アンケート実施画面Ｇ４−ｎにおいていずれの回答が選択されたかによって、その次に表示するアンケート実施画面Ｇ４−（ｎ＋１）における質問の内容とその質問に対する回答の選択肢とが異なっていてもよく、質問の内容は同じとし、回答の選択肢が異なるようにしてもよい。なお、最後の質問のアンケート実施画面Ｇ４−ｎの回答ボタンＢ４−ｎ−ｉには、図６に示すリコメンド画面Ｇ５へのリンクが埋め込まれる。
【００３４】
図６は、リコメンド画面Ｇ５の表示例を示す図である。リコメンド画面Ｇ５は、空間コーディネート支援装置１００がアンケートの回答に基づいて選択した１又は複数のテーマを表す画像を含む。図６に示すリコメンド画面Ｇ５は、テーマ「さわやか」を表す画像Ｇ５−１と、テーマ「スタイリッシュ」を表す画像Ｇ５−２とを含む。操作者が操作部１４０により画像Ｇ５−１、Ｇ５−２のいずれかの選択を入力すると、空間コーディネート支援装置１００は、選択された画像Ｇ５−１又は画像Ｇ５−２が表すテーマのインテリアイメージ画面Ｇ１を表示する。テーマを表す画像Ｇ５−１、Ｇ５−２として、そのテーマのインテリアイメージ画面Ｇ１の縮小画面又はインテリアイメージ画面Ｇ１に用いられているインテリアイメージ画像を用いてもよい。なお、リコメンド画面Ｇ５は、選択されたテーマごとに、インテリアイメージ画面Ｇ１の縮小画面に加えて、コーディネート画面Ｇ２の縮小画面又はその一部を横又は縦に並べて表示してもよい。操作者が操作部１４０により画像Ｇ５−１又は画像Ｇ５−２を選択すると、表示制御部１２１は、選択された画像Ｇ５−１又は画像Ｇ５−２に対応したテーマのインテリアイメージ画面Ｇ１（例えば、図２（ａ））を表示部１３０に表示する。
【００３５】
図７は、テーマ選択画面Ｇ６の表示例を示す図である。テーマ選択画面Ｇ６は、テーマを表す画像Ｇ６−１〜Ｇ６−６の表示を含む。画像Ｇ６−１〜Ｇ６−６のそれぞれには、その画像に対応したテーマのインテリアイメージ画面Ｇ１へのリンクが埋め込まれている。操作者が操作部１４０により画像Ｇ６−１〜Ｇ６−６のいずれかを選択すると、表示制御部１２１は、選択された画像Ｇ６−１〜画像Ｇ６−６に埋め込まれているリンク先のテーマのインテリアイメージ画面Ｇ１（例えば、図２（ａ））を表示部１３０に表示する。
【００３６】
図８は、スコア記憶部１１２が記憶するスコア情報の例を示す図である。スコア情報は、アンケートで行う質問の質問番号、質問内容、回答番号、回答、テーマ別付与スコア及び次の質問番号を関連付けた情報である。テーマ別付与スコアは、回答に応じて各テーマに付与するスコアを示す。なお、質問番号に代えて、アンケート実施画面Ｇ４−ｎの識別情報を用いてもよい。アンケート実施画面Ｇ４−ｎの識別情報は、アンケート実施画面Ｇ４−ｎの記憶場所でもよい。また、質問内容、回答及び次の質問番号を省略してもよい。
【００３７】
図９は、テーマ情報記憶部１１３が記憶するテーマ情報の例を示す図である。テーマ情報は、テーマの名称と、テーマを表すオブジェクトと、インテリアイメージ画面Ｇ１及びコーディネート画面Ｇ２の識別情報とが関連付けられた情報である。インテリアイメージ画面Ｇ１及びコーディネート画面Ｇ２の識別情報として、インテリアイメージ画面Ｇ１及びコーディネート画面Ｇ２の記憶場所を用いてもよい。オブジェクトは、リコメンド画面Ｇ５の画像Ｇ５−１、Ｇ５−２として用いられる画像である。このオブジェクトとして、インテリアイメージ画面Ｇ１の識別情報を用いてもよく、インテリアイメージ画面Ｇ１に含まれるインテリアイメージ画像を用いてもよい。また、リコメンド画面Ｇ５にコーディネート画面Ｇ２の縮小画面又は一部を表示しない場合、テーマ情報は、コーディネート画面Ｇ２の識別情報を含まなくてもよい。
【００３８】
続いて、空間コーディネート支援装置１００の処理手順の例を説明する。
図１０は、空間コーディネート支援装置１００の処理を示すフロー図である。アンケートの質問の総数はＮ個とする。
【００３９】
空間コーディネート支援装置１００の表示制御部１２１は、推薦開始画面Ｇ３（図３）の画面データを画面記憶部１１１から読み出して表示部１３０に表示する（ステップＳ１１０）。操作者が操作部１４０により推薦開始画面Ｇ３のアンケート開始ボタンＢ３−１を選択すると（ステップＳ１２０：アンケート開始）、空間コーディネート支援装置１００は、ｎを１からＮまで１ずつ変更したときの各ｎについて、以下のステップＳ１３０〜ステップＳ１５０のループ処理を繰り返す。
【００４０】
１回目（ｎ＝１）のループ処理において、表示制御部１２１は、１問目の質問を行うアンケート実施画面Ｇ４−１（図４）の画面データを画面記憶部１１１から読み出して表示部１３０に表示する（ステップＳ１３０）。操作者は、操作部１４０によりアンケート実施画面Ｇ４−１の回答ボタンＢ４−１−ｉを選択する操作を行って回答を入力する（ステップＳ１４０）。取得部１２２は、選択された回答ボタンＢ４−１−ｉに埋め込まれた質問番号及び回答番号を取得する。集計部１２３は、取得部１２２が取得した質問番号及び回答番号に対応したテーマ別付与スコアをスコア記憶部１１２が記憶するスコア情報から読み出し、集計情報記憶部１２３１に記憶する（ステップＳ１５０）。
【００４１】
２回目以降（ｎ＝２〜Ｎ）のループ処理において、表示制御部１２１は、アンケート実施画面Ｇ４−（ｎ−１）において選択された回答ボタンＢ４−（ｎ−１）−ｉとリンクされた画面データを画面記憶部１１１から読み出して表示部１３０に表示する（ステップＳ１３０）。この画面データにより、ｎ問目の質問を行うアンケート実施画面Ｇ４−ｎ（ｎ＝２の場合は図５（ａ）又は図５（ｂ））が表示される。操作者は、操作部１４０によりアンケート実施画面Ｇ４−ｎの回答ボタンＢ４−ｎ−ｉを選択する操作を行って回答を入力する（ステップＳ１４０）。取得部１２２は、選択された回答ボタンＢ４−ｎ−ｉに埋め込まれた質問番号及び回答番号を取得する。集計部１２３は、取得部１２２が取得した質問番号及び回答番号に対応したテーマ別付与スコアをスコア記憶部１１２が記憶するスコア情報から読み出し、集計情報記憶部１２３１に記憶する（ステップＳ１５０）。
【００４２】
Ｎ回目のステップＳ１３０〜ステップＳ１５０のループ処理が終了すると、集計部１２３は、Ｎ問の各質問について選択された回答の選択肢それぞれに紐づけられたテーマ別付与スコアを集計情報記憶部１２３１から読み出してテーマ別にスコアを集計する（ステップＳ１６０）。選択部１２４は、スコアが多い順にテーマに順位を付与し、順位が高い順に所定数のテーマを選択する。選択部１２４は、選択したテーマの名称及びオブジェクトと、そのテーマのインテリアイメージ画面Ｇ１の識別情報とをテーマ情報記憶部１１３が記憶するテーマ情報から読み出し、テーマの順位とともに表示制御部１２１に出力する。表示制御部１２１は、アンケート実施画面Ｇ４−Ｎにおいて選択された回答ボタンＢ４−Ｎ−ｉとリンクされた画面データを画面記憶部１１１から読み出す。表示制御部１２１は、読み出した画面データに選択部１２４から受信したオブジェクトを順位に応じた表示位置に埋め込んでリコメンド画面Ｇ５の画面データを生成し、表示部１３０に表示する（ステップＳ１７０）。リコメンド画面Ｇ５に埋め込むオブジェクトには、そのオブジェクトとともに読み出したインテリアイメージ画面Ｇ１の識別情報が埋め込まれる。
【００４３】
操作者が、操作部１４０により表示部１３０に表示されているリコメンド画面Ｇ５の画像Ｇ５−１又は画像Ｇ５−２を選択すると、表示制御部１２１は、選択された画像Ｇ５−１又は画像Ｇ５−２が表すテーマに対応した画面を表示する（ステップＳ１８０）。具体的には、表示制御部１２１は、選択された画像Ｇ５−１又は画像Ｇ５−２に埋め込まれた識別情報により特定されるインテリアイメージ画面Ｇ１の画面データを画面記憶部１１１から読み出して表示部１３０に表示する。例えば、図６に示すリコメンド画面Ｇ５において画像Ｇ５−１が選択された場合、表示制御部１２１は、図２（ａ）に示すインテリアイメージ画面Ｇ１を表示部１３０に表示する。このインテリアイメージ画面Ｇ１の表示中に操作者が操作部１４０により次の画面の表示指示を入力すると、表示制御部１２１は、図２（ｂ）に示すコーディネート画面Ｇ２−１を表示部１３０に表示する。このコーディネート画面Ｇ２−１の表示中に、さらに操作者が操作部１４０により次の画面の表示指示を入力すると、表示制御部１２１は、図２（ｃ）に示すコーディネート画面Ｇ２−２を表示部１３０に表示する。
【００４４】
なお、操作者が操作部１４０により前の画面の表示指示を入力すると、表示制御部１２１は、操作に従って表示した画面データを遡って表示部１３０に表示する。操作者は、再び表示させたリコメンド画面Ｇ５において、操作部１４０により画像Ｇ５−２を選択する操作を行ってもよい。表示制御部１２１は、画像Ｇ５−２に埋め込まれた識別情報により特定されるインテリアイメージ画面Ｇ１の画面データを画面記憶部１１１から読み出し、上記と同様の処理を繰り返す。
【００４５】
一方、操作者が操作部１４０により推薦開始画面Ｇ３のテーマ選択開始ボタンＢ３−２を選択すると（ステップＳ１２０：テーマ選択）、選択部１２４は、テーマ選択画面Ｇ６（図７）の画面データを画面記憶部１１１から読み出して表示部１３０に表示する。操作者が操作部１４０によりテーマ選択画面Ｇ６においてテーマを表す画像Ｇ６−１〜Ｇ６−６のいずれかを選択する操作を行うと、表示制御部１２１は、選択された画像Ｇ６−１〜画像Ｇ６−６のいずれかに対応したテーマのインテリアイメージ画面Ｇ１を画面記憶部１１１から読み出し、ステップＳ１８０の処理を行う。
【００４６】
なお、空間コーディネート支援装置１００の制御部１２０は、操作者が操作部１４０により選択したコーディネート画面Ｇ２に含まれる内外装の組合せの情報を印刷してもよい。例えば、記憶部は１１０に各内外装のそれぞれの商品番号、価格、商品が掲載されているカタログ等を記憶しておき、制御部１２０は、選択された組合せに含まれる各内外装の表面デザインの商品番号、名称、価格、カタログの情報を印刷する。
【００４７】
なお、質問の総数Ｎは、所定の質問の所定の選択肢が選択された場合に更新されてもよい。
【００４８】
以上説明した実施形態によれば、空間コーディネート支援装置１００は、施主である顧客の好みに合う住宅の空間コーディネートを簡易に選択できるように支援することができる。上記では、住宅を例に説明したが、空間コーディネート支援装置１００は、住宅以外の建築物にも用いることができる。
【００４９】
なお、上述の空間コーディネート支援装置１００としての機能を実現するためのプログラムをコンピュータ読み取り可能な記録媒体に記録して、この記録媒体に記録されたプログラムをコンピュータシステムに読み込ませ、実行することにより上述の空間コーディネート支援装置１００としての処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、空間コーディネート支援装置１００で実行可能な形式のプログラムのコードと異なるものでもよい。すなわち、配信サーバからダウンロードされて空間コーディネート支援装置１００で実行可能な形でインストールができるものであれば、配信サーバで記憶される形式は問わない。なお、プログラムを複数に分割し、それぞれ異なるタイミングでダウンロードした後に空間コーディネート支援装置１００で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組合せで実現できるもの、いわゆる差分ファイル（差分プログラム）であってもよい。
【符号の説明】
【００５０】
１００…空間コーディネート支援装置，  １１０…記憶部，  １１１…画面記憶部，  １１２…スコア記憶部，  １１３…テーマ情報記憶部，  １２０…制御部，  １２１…表示制御部，  １２２…取得部，  １２３…集計部，  １２４…選択部，  １３０…表示部，  １４０…操作部，  １２３１…集計情報記憶部
【図１】
2020205000.tif 000003
【図２】
2020205000.tif 000004
【図３】
2020205000.tif 000005
【図４】
2020205000.tif 000006
【図５】
2020205000.tif 000007
【図６】
2020205000.tif 000008
【図７】
2020205000.tif 000009
【図８】
2020205000.tif 000010
【図９】
2020205000.tif 000011
【図１０】
2020205000.tif 000012